(57)【要約】  【課題】  レンズのガイド構造を簡素化しながらレンズをスムーズに移動可能なレンズ駆動装置を提供する。  【解決手段】  ヨーク４を光軸方向に延在させ、延在したヨーク４の内周面４ｃ，４ｄとレンズ枠１の外周面１ｃ，１ｄとを部分的に摺接して、該レンズ枠１を光軸方向へ往復動自在に支持することにより、光軸方向に延在されたヨーク４の内周面４ｃ，４ｄとレンズ枠１の外周面１ｃ，１ｄとの部分的な摺接部分が、レンズ移動のガイドとなる。  【選択図】      図１
2009186742.tif 000002
【特許請求の範囲】
【請求項１】
レンズを保持するレンズ枠と、このレンズ枠に固定されるコイルと、このコイルに近接して配置される磁石と、この磁石が固定されるヨークとを備え、これらコイル、磁石及びヨークにより該レンズ枠を光軸方向に移動させるレンズ駆動装置において、
前記ヨークを光軸方向に延在させ、延在した前記ヨークの内周面と前記レンズ枠の外周面とを部分的に摺接して、該レンズ枠を光軸方向へ往復動自在に支持したことを特徴とするレンズ駆動装置。
【請求項２】
前記ヨークの内周面と前記レンズ枠の外周面を平行に配置し、該レンズ枠の光軸方向で少なくとも２箇所の外周面を、上記ヨークの内周面に夫々部分的に摺接させたことを特徴とする請求項１に記載のレンズ駆動装置。
【請求項３】
前記ヨークを二重の円筒状に形成し、該二重の円筒状の内側円筒部及び外側円筒部の内周面と、前記レンズ枠の光軸方向で少なくとも２箇所の外周面とを夫々部分的に摺接させた請求項２に記載のレンズ駆動装置。
【請求項４】
請求項１〜３いずれか一つに記載のレンズ駆動装置を含むことを特徴とする撮像装置。
【発明の詳細な説明】
【技術分野】
【０００１】
本発明は、ボイスコイル型モータを駆動源としてレンズを光軸方向に駆動するレンズ駆動装置、及び、これを用いたデジタルカメラ、銀塩フィルム式カメラ、携帯電話機，携帯型パーソナルコンピュータ，携帯型音楽プレーヤ，ＰＤＡなどの携帯情報端末機などからなる撮像装置に関する。
詳しくは、レンズを保持するレンズ枠と、このレンズ枠に固定されるコイルと、このコイルに近接して配置される磁石と、この磁石が固定されるヨークとを備え、これらコイル、磁石及びヨークにより該レンズ枠を光軸方向に移動させるレンズ駆動装置、及び、これを用いた撮像装置に関する。
【背景技術】
【０００２】
従来、この種のレンズ駆動装置としては、レンズ後部を保持する鏡枠の光軸方向中間部が、円筒状継鉄の内径面に対してボールベアリングを介して摺動自在に軸受けされ、この円筒状継鉄内に永久磁石を固定し、レンズ後部の鏡枠に固定されたコイルへの通電時に、電磁力によって光軸方向へ直線的に可動するものが知られている（例えば、特許文献１参照）。
【０００３】
【特許文献１】特開昭５９−１１６６２７号公報（第２頁、第１図）
【発明の開示】
【発明が解決しようとする課題】
【０００４】
しかし乍ら、このような従来のレンズ駆動装置では、レンズ粋（鏡枠）をボールベアリングで光軸方向へ往復動自在に支持するため、ボールベアリングが必要となって、その分だけ部品点数が増えて、組立て時間も長くなり、コストアップの要因となると共に、コンパクト化し難くなるという問題があった。
更に、部品点数の増加による部品の寸法公差の積み上げ誤差や、組立時の誤差のため、レンズの移動時にレンズ粋自体が光軸に対して傾き易く、それにより、像ゆれ、像ボケ、像ゆがみなどの光学性能の劣化が生じるという問題もあった。
【０００５】
本発明は、上記の事情に鑑みて成されたものであり、その目的とするところは、レンズのガイド構造を簡素化しながらレンズをスムーズに移動可能なレンズ駆動装置を提供する及び撮像装置を提供することにある。
【課題を解決するための手段】
【０００６】
本発明のレンズ駆動装置は、ヨークを光軸方向に延在させ、延在した前記ヨークの内周面とレンズ枠の外周面とを部分的に摺接して、該レンズ枠を光軸方向へ往復動自在に支持した、ことを特徴としている。
この構成によれば、光軸方向に延在されたヨークの内周面とレンズ枠の外周面との部分的な摺接部分が、レンズ移動のガイドとなる。
従って、レンズのガイド構造を簡素化しながらレンズをスムーズに移動可能なレンズ駆動装置を提供することができる。
その結果、レンズ粋をボールベアリングで光軸方向へ往復動自在に支持する従来のものに比べ、ボールベアリングを必要としない分だけ部品点数を軽減できて、組立て時間を短縮化でき、製造コストの低減化が図れると共に更なるコンパクト化が容易になる。
【０００７】
上記構成のレンズ駆動装置において、前記ヨークの内周面と前記レンズ枠の外周面を平行に配置し、該レンズ枠の光軸方向で少なくとも２箇所の外周面を、上記ヨークの内周面に夫々部分的に摺接させた、構成を採用することができる。
この構成によれば、レンズ枠の移動時において光軸方向に対し該レンズ枠を傾けるような倒れやブレが発生しない。
従って、レンズ移動時の光軸に対する倒れやブレを抑制することができる。
その結果、部品（公差）の積み上げ誤差や組立時の誤差がなくなって、レンズ移動の際の微細なブレをなくすことができ、像ゆれ、像ボケ、像ゆがみなどの光学性能の劣化を防止できる。
また、上記レンズ枠の光軸方向２箇所以上の外周面としては、これら外周面を光軸方向へ離して配置する方が、光軸に対しレンズ枠をより傾き難くすることが容易となる。
【０００８】
上記構成のレンズ駆動装置において、前記ヨークを二重の円筒状に形成し、該二重の円筒状の内側円筒部及び外側円筒部の内周面と、前記レンズ枠の光軸方向で少なくとも２箇所の外周面とを夫々部分的に摺接させた、構成を採用することができる。
この構成によれば、ヨークの内外二つの内周面に形成される光軸に平行な二つガイド面に沿って、レンズ枠の光軸方向２箇所以上の外周面が夫々移動する。
従って、レンズ移動に伴う光軸の倒れやブレを更に抑制することができる。
その結果、光学性能の劣化を防止機能を向上できる。
【０００９】
また、本発明の撮像装置は、上記構成をなすレンズ駆動装置を含む、ことを特徴としている。
この構成によれば、駆動源として上述のレンズ駆動装置を搭載するため、撮像装置の小型化、軽量化を達成できると共に、像ゆれ、像ボケ、像ゆがみなどの光学性能の劣化防止を達成することができる。
【発明の効果】
【００１０】
上記構成をなす本発明のレンズ駆動装置によれば、構造の簡素化、部品の集約化、光軸に垂直な径方向の小型化（小径化）などを達成しつつ、レンズを光軸方向に円滑に又高精度に駆動することができる。
従って、小型化が要求される携帯情報端末装置などに搭載されるモバイルカメラなどに好適である。
【発明を実施するための最良の形態】
【００１１】
以下、本発明の実施の形態について、添付図面を参照しつつ説明する。
図１〜図４は、本発明に係るレンズ駆動装置の一実施形態を示すものであり、図１はオートフォーカス（ＡＦ）駆動によりレンズ枠が通常撮影位置にある装置の光軸方向の断面図、図２はレンズ枠が無限遠撮影位置にある装置の光軸方向の断面図、図３はレンズ枠が近接撮影位置にある装置の光軸方向の断面図、図４は装置の分解斜視図である。
【００１２】
このレンズ駆動装置は、図１〜図４に示すように、レンズＧを保持するレンズ枠１、このレンズ枠１を光軸方向へ往復駆動するために該レンズ枠１に固定されたコイル２、このコイル２に近接して配置される磁石３、この磁石３が固定されるヨーク４、上記レンズ枠１を光軸方向のどちらか一方向に押す圧縮コイルばねなどの弾性体５、これらヨーク４などを固定するフレーム６などを備えている。
【００１３】
上記レンズ枠１は、合成樹脂などの材料を用いて、図１〜図４に示すように、レンズＧの外周を囲むように円筒状に形成され、その内周に前記レンズＧを保持すると共に、該レンズ枠１の外周を後述するヨーク４の内周と平行に形成し、これら両者を部分的に摺接させて、該レンズ枠１を光軸方向へ往復動自在に支持している。
【００１４】
更に、このレンズ枠１には、前記レンズＧの径方向へ外形寸法が異なる円筒小径部１ａと円筒大径部１ｂを光軸方向へ形成して、これらの外周には、小径外周面１ｃと大径外周面１ｄを夫々光軸Ｌと平行に形成することが好ましい。
【００１５】
図示例の場合には、上記小径外周面１ｃを光軸方向の前方（図１〜図３では左方向）に、上記大径外周面１ｄを光軸方向の後方（図１〜図３では右方向）に夫々配置しており、これら円筒小径部１ａ及び円筒大径部１ｂの内周に、前記レンズＧとして複数枚のレンズを光軸方向へ分散して所定間隔毎に配置固定している。
【００１６】
上記コイル２は、ボイスコイル型モータの一部をなす電磁コイルであり、図１〜図４に示すように、予め環状（円筒状）に成形され、その後、上記レンズ枠１の外周に後述する磁石３と近接して固着されている。
また、このコイル２は、図示しないボビンを介して配置することも可能である。
【００１７】
上記磁石３は、ボイスコイル型モータの一部をなす永久磁石であり、図１〜図４に示すように、予め環状（円筒状）に形成され、その後、後述するヨーク４の内周に、上記コイル２と所定の隙間を空けて対向するように固着されている。
【００１８】
上記ヨーク４は、ボイスコイル型モータの一部をなすものであり、図１〜図４に示すように、軟磁性材料を用いて予め環状（円筒状）に形成され、その後、その外周に突設された取り付け部４ｘを前記フレーム６の外周に突設された取り付け部６ｘに対し、ビス止めするなどして固定支持される。
【００１９】
また、このヨーク４を光軸方向に延在させ、その内周面と上記レンズ枠１の外周面とを部分的に摺接して、該レンズ枠１を光軸方向へ往復動自在に支持している。
更に、このヨーク４の内周面と上記レンズ枠１の外周面を平行に配置し、該レンズ枠１の光軸方向２箇所以上の外周面として、光軸方向両端部のみを、上記ヨーク４の平滑な内周面に夫々部分的に摺接させることが好ましい。
【００２０】
詳しく説明すれば、上記ヨーク４は、光軸方向の断面がコ字状で内側円筒部４ａ及び外側円筒部４ｂをもつ二重円筒状に予め形成され、この内側円筒部４ａを、上記コイル２とレンズ枠１の円筒小径部１ａとの間に挿入し、該内側円筒部４ａの内周面４ｃを光軸Ｌと平行に形成して、上記小径外周面１ｃと部分的に摺接させている。
また、上記ヨーク４の外側円筒部４ｂの内周面４ｄを、光軸Ｌと平行に形成して上記磁石３を内嵌させて保持すると共に、光軸Ｌと平行な方向に磁石３より長くなるように後方へ延在して、上記レンズ枠１の円筒大径部１ｂの大径外周面１ｄと部分的に摺接させている。
【００２１】
これら部分的な摺接部は、図１〜図４に示すように、上記レンズ枠１の小径外周面１ｃ及び大径外周面１ｄの一部に光軸方向に延びる６箇所の凸部１ｅを、上記ヨーク４の内側円筒部４ａの内周面４ｃ及び外側円筒部４ｂの内周面４ｄに向けて突出形成することにより、内周面４ｃ，４ｄに夫々部分的に摺接させている。
尚、小径外周面１ｃ及び大径外周面１ｄの一部に少なくとも３箇所ずつの凸部１ｅを形成すると、これら凸部１ｅのみを上記ヨーク４の内側円筒部４ａの内周面４ｃ及び外側円筒部４ｂの内周面４ｄに摺接させることができる。
【００２２】
それ以外の例として図示しないが、ヨーク４の内側円筒部４ａの内周面４ｃ及び外側円筒部４ｂの内周面４ｄの一部に光軸方向へ延びる凸部を突出形成することにより、上記レンズ枠１の小径外周面１ｃ及び大径外周面１ｄと夫々部分的に摺接させることも可能である。
更に、上記凸部は、摺接する頂点が点接触であっても良い。
この場合には、ヨーク４の内側内周面４ｃ及び外側内周面４ｄとレンズ枠１の小径外周面１ｃ及び大径外周面１ｄとの接触面積が減少するため、それらの間に発生する摩擦抵抗を更に小さくすることができる。
【００２３】
上記構成においては、上記磁石３が設けられたヨーク４を光軸方向に延在させてレンズ枠１の移動ガイドとしたため、ボイスコイル型モータのヨーク４がレンズＧのガイド部と同一部品化され、その分だけ部品点数を軽減でき、組立て時間の短縮化が図れると共に、光軸Ｌに垂直な径方向の小型化も図れる。
また、これら同一部品化により、部品（公差）の積み上げ誤差や組立時の誤差が略無くなり、ボイスコイル型モータとしてのヨーク４自体や、レンズ枠１の移動ガイドとしてのガイド部について、光軸Ｌに対して平行度を容易に保つことができ、レンズ移動の際の微細なブレを無くすことができる。
更に、図１〜図４に示すように、上記ヨーク４を断面コ字状の二重円筒状に形成して、その光軸Ｌに平行な二つの内周ガイド面に対し前記レンズ枠１の外周ガイド面を部分的に摺接させた場合には、レンズ枠１の光軸方向への移動に伴う倒れやブレが更に抑制されるため、より好適である。
【００２４】
一方、上記フレーム６には、アタッチメント７を介して例えばＣＣＤなどの撮像素子８が固定された外部接続用基盤９を固着している。
【００２５】
次に、このレンズ駆動装置の動作について図１〜図３を参照して説明すると、図１に示すように、レンズ駆動装置のレンズ枠１がオートフォーカス駆動により通常撮影位置にある状態では、ボイスコイル型モータが撮影距離に応じて、適切な通電をコイル２に行い、レンズ枠１を定位置に保持している。
【００２６】
更に、図２に示すように、レンズ枠１が無限遠撮影位置にある状態では、ボイスコイル型モータのコイル２に通電されておらず、レンズ枠１は弾性体５の付勢力によって光軸方向の後方に押圧され、レンズ枠１の後端部１ｆがフレーム６に当接している。
【００２７】
また、図３に示すように、レンズ枠１が近接撮影位置にある状態では、ボイスコイル型モータのコイル２への通電によりレンズ枠１が光軸方向の前方に移動する力が、弾性体５の付勢力よりも勝っており、レンズ枠１の係合部１ｇがヨーク４の内側円筒部４ａの末端に突き当たって、それ以上、近方に移動することを制限している。
【００２８】
図５は、本発明に係るレンズ駆動装置の他の実施形態を示す光軸方向の断面図である。
この実施形態においては、前記ヨーク４を断面コ字状の二重円筒状に代えて一重の円筒状に形成し、その平滑な内周面４ｅに前記レンズ枠１の外周面を部分的に摺接させた以外は、前述の図１〜図４に示した実施形態と同一であるため、同一の構成については同一の符号を付してその説明を省略する。
即ち、この装置においては、図５に示すように、上記ヨーク４の平滑な内周面４ｅと前記レンズ枠１の外周面を平行に配置し、該レンズ枠１の光軸方向２箇所以上の外周面として、光軸方向両端部のみを、上記ヨーク４の平滑な内周面４ｅに夫々部分的に摺接させている。
【００２９】
上記レンズ枠１の光軸方向両端には、前記コイル２及び上記ヨーク４の平滑な内周面４ｅに固着された前記磁石３を挟むように、一対の円筒凸部１ｆが該ヨーク４の平滑な内周面４ｅへ向けて突出形成され、これら円筒凸部１ｆの外周面１ｇを夫々光軸Ｌと平行に形成して、ヨーク４の平滑な内周面４ｅと部分的に摺接させている。
【００３０】
これら部分的な摺接部は、上記円筒凸部１ｆの外周面１ｇの一部に光軸方向に延びる複数の凸部１ｅを、ヨーク４の内周面４ｅに向けて突出形成することにより、該凸部１ｅのみをヨーク４の内周面４ｅに夫々部分的に摺接させることが好ましい。
それ以外の例として図示しないが、ヨーク４の内周面４ｅの一部に光軸方向へ延びる凸部を突出形成して、上記円筒凸部１ｆの外周面１ｇと夫々部分的に摺接させることも可能である。
【００３１】
従って、図５に示す実施形態も、前述の図１〜図４に示した実施形態と同様な作用効果が得られ、更に加えて上記ヨーク４の断面形状を簡素化できて軽量化が達成できる。
【００３２】
以上、本発明を実施の形態を参照して説明してきたが、本発明は上記実施の形態に限定して解釈されるべきではなく、適宜変更・改良が可能であることはもちろんである。
例えば、前記レンズＧは図示された３枚に限定されず、１枚以上であれば良い。
【産業上の利用可能性】
【００３３】
以上述べたように、本発明のレンズ駆動装置は、構造の簡素化、部品の集約化、光軸に垂直な径方向の小型化（小径化）などを達成しつつ、レンズを光軸方向に円滑に又高精度に駆動することができるため、小型化が要求される携帯電話機、携帯型パーソナルコンピュータ、携帯型音楽プレーヤ、ＰＤＡなどの携帯情報端末機などからなる撮像装置のレンズ駆動装置として適用できるのは勿論のこと、特に小型化が要求されるレンズ光学系の駆動装置としても有用である。
【図面の簡単な説明】
【００３４】
【図１】本発明に係るレンズ駆動装置の一実施形態を示す光軸を含む断面図である。
【図２】図１に示すレンズ駆動装置の動作を説明するためのものであり、レンズ枠が無限遠撮影位置にある状態を示す断面図である。
【図３】図１に示すレンズ駆動装置の動作を説明するためのものであり、レンズ枠が近接撮影位置にある状態を示す断面図である。
【図４】本発明に係るレンズ駆動装置の分解斜視図である。
【図５】本発明に係るレンズ駆動装置の他の実施形態を示す光軸を含む断面図である。
【符号の説明】
【００３５】
Ｇ  レンズ                        １  レンズ枠
１ｃ，１ｄ  外周面                ２  コイル
３  磁石                          ４  ヨーク
４ｃ，４ｄ  内周面
【図１】
2009186742.tif 000003
【図２】
2009186742.tif 000004
【図３】
2009186742.tif 000005
【図４】
2009186742.tif 000006
【図５】
2009186742.tif 000007